(57)【特許請求の範囲】
【請求項１】
ケーブルに接続されるコンタクトが保持されるハウジングと、
前記ケーブルの一端部を包囲して前記ハウジングに装着される環状部と、この環状部からその後方へ延びる複数の突出片とを有するシールドシェルと、
前記ハウジングに連結され、前記突出片の外周面に前記ケーブルの一端部の露出したシールド編組を押し付けておく押付部材とを備え、
前記押付部材が前記ハウジングに連結されたとき、前記複数の突出片の少なくとも１つは、前記環状部の径方向内側へ弾性変形し、前記シールドシェルと前記シールド編組とが電気的に接続される
ことを特徴とするコネクタ。
【請求項２】
前記押付部材が、
内径が前方から後方へ減少する円筒体側テーパ部を有し、前記複数の突出片の先端部を包囲するようにその突出片の先端部に装着される円筒体と、
前記円筒体と前記ハウジングとを連結して、前記円筒体が前記シールド編組を直接前記複数の突出片の外周面に押し付ける状態を維持する連結部材とで構成され、
前記シールド編組が、前記円筒体側テーパ部と前記複数の突出片とに挟み付けられる
ことを特徴とする請求項１記載のコネクタ。
【請求項３】
内径が前方から後方へ減少する円筒部材側テーパ部を有する円筒部材が、前記複数の突出片の先端部に、その先端部を包囲するように装着され、
前記押付部材が、
内径が前方から後方へ減少する円筒体側テーパ部を有し、前記円筒部材を包囲するようにその円筒部材に装着される円筒体と、
前記円筒体と前記ハウジングとを連結して、前記円筒体が前記シールド編組を前記円筒部材を介して前記複数の突出片の外周面に押し付ける状態を維持する連結部材とで構成され、
前記円筒部材が導電性材料で形成され、
前記シールド編組が、前記円筒部材と前記円筒体側テーパ部とに挟み付けられる
ことを特徴とする請求項１記載のコネクタ。
【請求項４】
前記少なくとも１つの突出片は、前記環状部の径方向内側へ弾性変形するばね片であり、
前記ばね片は、その先端部から前記環状部の径方向外側へ突出するばね片側引掛け部を有し、
前記円筒部材が、前記ばね片側突出部に引っ掛ける円筒部材側引掛け部を有する
ことを特徴とする請求項３記載のコネクタ。
【請求項５】
前記押付部材が、
内径が前方から後方へ減少する分離型円筒体側テーパ部を有し、前記複数の突出片の先端部を包囲するようにその突出片の先端部に装着される分離型円筒体と、
前記ハウジングに連結され、前記シールドシェルと前記シールド編組と前記分離型円筒体とを包囲するとともに前記分離型円筒体側テーパ部を前記ハウジングの方へ押して、前記分離型円筒体が前記シールド編組を直接前記複数の突出片の外周面に押し付ける状態を維持するカバーとで構成され、
前記シールド編組が、前記分離型円筒体側テーパ部と前記複数の突出片とに挟み付けられる
ことを特徴とする請求項１記載のコネクタ。
【請求項６】
内径が前方から後方へ減少する円筒部材側テーパ部を有する円筒部材が、前記複数の突出片の先端部に、その先端部を包囲するように装着され、
前記押付部材が、
内径が前方から後方へ減少する分離型円筒体側テーパ部を有し、前記円筒部材の後端部を包囲するように前記円筒部材の後端部に装着される分離型円筒体と、
前記ハウジングに連結され、前記シールドシェルと前記円筒部材と前記シールド編組と前記分離型円筒体とを包囲するとともに前記分離型円筒体側テーパ部を前記ハウジングの方へ押して、前記分離型円筒体が前記シールド編組を前記円筒部材を介して前記複数の突出片の外周面に押し付ける状態を維持するカバーとで構成され、
前記円筒部材が導電性材料で形成され、
前記シールド編組が、前記円筒部材と前記分離型円筒体とに挟み付けられる
ことを特徴とする請求項１記載のコネクタ。
【請求項７】
前記少なくとも１つの突出片は、前記環状部の径方向内側へ弾性変形するばね片であり、
前記ばね片は、その先端部から前記環状部の径方向外側へ突出するばね片側引掛け部を有し、
前記円筒部材が、前記ばね片側突出部に引っ掛ける円筒部材側引掛け部を有する
ことを特徴とする請求項６記載のコネクタ。
【請求項８】
前記押付部材が導電性材料で形成されていることを特徴とする請求項１〜７のいずれか１項記載のコネクタ。
【発明の詳細な説明】
【技術分野】
【０００１】
この発明はコネクタに関する。
【背景技術】
【０００２】
従来、図４６、図４７Ａ、図４７Ｂ、図４７Ｃ、図４８、図４９Ａ、図４９Ｂ、図４９Ｃに示すように、絶縁性樹脂のコネクタハウジング９０２と、電線９０３付きの雌端子（図示せず）と、ほぼ円筒状の導電金属製のシールドシェル９０４と、導電金属製のシールド編組９０５と、シールドシェル９０４の外周面にシールド編組９０５を介して装着されるリング組立体９０８と、シールドシェル９０４にねじ結合され、リング組立体９０８の内側リング９０６をシールド編組９０５を介してシールドシェル９０４に押し付ける絶縁性樹脂のカバー９０９とで構成されるシールドコネクタ９０１が知られている(下記特許文献１参照)。なお、図４６、図４７Ａ、図４７Ｂ、図４７Ｃ、図４８、図４９Ａ、図４９Ｂ、図４９Ｃはそれぞれ下記特許文献１の図１、図２（ａ）、（ｂ）、（ｃ）、図３、図４（ａ）、（ｂ）、（ｃ）に対応する。但し、図中の符号は変更され、一部の符号は削除されている。
【０００３】
図４６に示すように、シールドシェル９０４は、円筒状の周壁９１４と、周壁９１４に設けられた複数のスリット９１５と、周壁９１４の後部に設けられた雄ねじ部９１６と、周壁９１４の後部に傾斜壁９１７を介して設けられた周壁９１８とで構成される。周壁９１４と周壁９１８とは同心であり、周壁９１４の直径は周壁９１８の直径より大きい。
【０００４】
シールド編組９０５は円筒状に形成されている。シールド編組９０５には複数の電線９０３が通される。シールド編組９０５の前端部９１９はシールドシェル９０４の周壁９１８に被せるように装着される。
【０００５】
図４６に示すように、リング組立体９０８は内側リング９０６と外側リング９０７とで構成される。
【０００６】
図４７Ａ、図４７Ｂ、図４７Ｃに示すように、内側リング９０６はスリット９２２を有する。スリット９２２は軸方向へ延びる。内側リング９０６の直径はスリット９２２の幅の範囲で増減し得る。内側リング９０６は、その軸方向中央に凸部９２３を有する。凸部２３は周方向へ延びる。
【０００７】
外側リング９０７はその軸方向中央にスリット９２５を有する。スリット９２５は周方向へ延びる。スリット９２５の幅は凸部９２３の幅より少し大きい。スリット９２５の前後に位置するリング本体９２６，９２６は山形の板状の可撓性の２つのヒンジ部９２７で連結されている。２つのヒンジ部９２７は外側リング９０７の中心軸に対して対称の位置にある。ヒンジ部９２７は半径方向外側へ突出している。
【０００８】
図４７Ｂに示すように、内側リング９０６は外側リング９０７に収容される。凸部９２３はスリット９２５に入り込む（図４７Ｃ参照）。スリット９２２が開いているとき、リング本体９２６の外周面は外側リング９０７の内周面に接触している。
【０００９】
図４８に示すように、カバー９０９は、円筒状の周壁９２９と、周壁９２９の後部の内周面に設けられた鍔部９３０と、周壁９２９の前部の内周面に設けられた雌ねじ９３１と、周壁９２９に設けられた２つのスリット９３２，９３２とで構成されている。
【００１０】
次に、シールドコネクタ９０１の組立方法を図４９Ａ、図４９Ｂ、図４９Ｃに基づいて説明する。
【００１１】
まず、シールドシェル９０４の周壁９１８の外周面にシールド編組９０５の前端部９１９を被せ、リング組立体９０８をシールド編組９０５の前端部９１９を介してシールドシェル９０４の後部の外周面に装着する。
【００１２】
次に、カバー９０９の雌ねじ９３１をシールドシェル９０４の雄ねじ部９１６にねじ込む。カバー９０９をねじ込んでゆくと、ヒンジ部９２７が弾性変形して半外側リング９０７のスリット９２５の幅が小さくなり、凸部９２３がスリット９２５から半径方向内側へ押し出され、内側リング９０６の直径が減少する。その結果、シールド編組９０５の前端部９１９がシールドシェル９０４の周壁９１８の外周面に押し付けられる。
【００１３】
以上の工程を経てシールドコネクタ９０１が組み立てられ、シールド編組９０５とシールドシェル９０４とが接続される。
【先行技術文献】
【特許文献】
【００１４】
【特許文献１】特開２０１１−４９１４２号公報（段落００２０、００３１、００３３〜００４５、図１、図２（ａ）、（ｂ）、（ｃ）、図３、図４（ａ）、（ｂ）、（ｃ）等）
【発明の概要】
【発明が解決しようとする課題】
【００１５】
上述のシールドコネクタ９０１では、シールドシェル９０４にカバー９０９をねじ込んだときの内側リング９０６の直径の変化量（減少量）が小さいので、内側リング９０６や外側リング９０７等の部品公差、組立公差の累積により、シールド編組９０５とシールドシェル９０４との接続が不安定になるおそれがあった。
【００１６】
この発明はこのような事情に鑑みてなされたもので、その課題は、シールド編組とシールドシェルとの接続を安定させて高いシールド性を得ることができるコネクタを提供することである。
【課題を解決するための手段】
【００１７】
上述の課題を解決するため請求項１記載の発明は、ケーブルに接続されるコンタクトが保持されるハウジングと、前記ケーブルの一端部を包囲して前記ハウジングに装着される環状部と、この環状部からその後方へ延びる複数の突出片とを有するシールドシェルと、前記ハウジングに連結され、前記突出片の外周面に前記ケーブルの一端部の露出したシールド編組を押し付けておく押付部材とを備え、前記押付部材が前記ハウジングに連結されたとき、前記複数の突出片の少なくとも１つは、前記環状部の径方向内側へ弾性変形し、前記シールドシェルと前記シールド編組とが電気的に接続されることを特徴とする。
【００１８】
請求項２記載の発明は、請求項１記載のコネクタにおいて、前記押付部材が、内径が前方から後方へ減少する円筒体側テーパ部を有し、前記複数の突出片の先端部を包囲するようにその突出片の先端部に装着される円筒体と、前記円筒体と前記ハウジングとを連結して、前記円筒体が前記シールド編組を直接前記複数の突出片の外周面に押し付ける状態を維持する連結部材とで構成され、前記シールド編組が、前記円筒体側テーパ部と前記複数の突出片とに挟み付けられることを特徴とする。
【００１９】
請求項３記載の発明は、請求項１記載のコネクタにおいて、内径が前方から後方へ減少する円筒部材側テーパ部を有する円筒部材が、前記複数の突出片の先端部に、その先端部を包囲するように装着され、前記押付部材が、内径が前方から後方へ減少する円筒体側テーパ部を有し、前記円筒部材を包囲するようにその円筒部材に装着される円筒体と、前記円筒体と前記ハウジングとを連結して、前記円筒体が前記シールド編組を前記円筒部材を介して前記複数の突出片の外周面に押し付ける状態を維持する連結部材とで構成され、前記円筒部材が導電性材料で形成され、前記シールド編組が、前記円筒部材と前記円筒体側テーパ部とに挟み付けられることを特徴とする。
【００２０】
請求項４記載の発明は、請求項３記載のコネクタにおいて、前記少なくとも１つの突出片は、前記環状部の径方向内側へ弾性変形するばね片であり、前記ばね片は、その先端部から前記環状部の径方向外側へ突出するばね片側引掛け部を有し、前記円筒部材が、前記ばね片側突出部に引っ掛ける円筒部材側引掛け部を有することを特徴とする。
【００２１】
請求項５記載の発明は、請求項１記載のコネクタにおいて、前記押付部材が、内径が前方から後方へ減少する分離型円筒体側テーパ部を有し、前記複数の突出片の先端部を包囲するようにその突出片の先端部に装着される分離型円筒体と、前記ハウジングに連結され、前記シールドシェルと前記シールド編組と前記分離型円筒体とを包囲するとともに、前記分離型円筒体側テーパ部を前記ハウジングの方へ押して、前記分離型円筒体が前記シールド編組を直接前記複数の突出片の外周面に押し付ける状態を維持するカバーとで構成され、前記シールド編組が、前記分離型円筒体側テーパ部と前記複数の突出片とに挟み付けられることを特徴とする。
【００２２】
請求項６記載の発明は、請求項１記載のコネクタにおいて、内径が前方から後方へ減少する円筒部材側テーパ部を有する円筒部材が、前記複数の突出片の先端部に、その先端部を包囲するように装着され、前記押付部材が、内径が前方から後方へ減少する分離型円筒体側テーパ部を有し、前記円筒部材の後端部を包囲するように前記円筒部材の後端部に装着される分離型円筒体と、前記ハウジングに連結され、前記シールドシェルと前記円筒部材と前記シールド編組と前記分離型円筒体とを包囲するとともに、前記分離型円筒体側テーパ部を前記ハウジングの方へ押して、前記分離型円筒体が前記シールド編組を前記円筒部材を介して前記複数の突出片の外周面に押し付ける状態を維持するカバーとで構成され、前記円筒部材が導電性材料で形成され、前記シールド編組が、前記円筒部材と前記分離型円筒体とに挟み付けられることを特徴とする。
【００２３】
請求項７記載の発明は、請求項６記載のコネクタにおいて、前記少なくとも１つの突出片は、前記環状部の径方向内側へ弾性変形するばね片であり、前記ばね片は、その先端部から前記環状部の径方向外側へ突出するばね片側引掛け部を有し、前記円筒部材が、前記ばね片側突出部に引っ掛ける円筒部材側引掛け部を有することを特徴とする。
【００２４】
請求項８記載の発明は、請求項１〜７のいずれか１項記載のコネクタにおいて、前記押付部材が導電性材料で形成されていることを特徴とする。
【発明の効果】
【００２５】
この発明によれば、シールド編組とシールドシェルとの接続を安定させて高いシールド性を得ることができるコネクタを提供できる。
【図面の簡単な説明】
【００２６】
【図１】図１はこの発明の第１実施形態に係るコネクタの斜視図である。
【図２】図２は図１に示すコネクタの正面図である。
【図３】図３は図１に示すコネクタの側面図である。
【図４】図４は図２のIV-IV線に沿って押付部材及びシールド編組を切断した状態を示す断面図である。
【図５】図５は図４のＡ部の拡大図である。
【図６】図６は図１に示すコネクタの押付部材及びシールドシェルの斜視図である。
【図７】図７は図６に示すコネクタのシールドシェルの正面図である。
【図８】図８は図６に示すシールドシェルの側面図である。
【図９】図９はこの発明の第２実施形態に係るコネクタの斜視図である。
【図１０】図１０は図９に示すコネクタの正面図である。
【図１１】図１１は図９に示すコネクタの側面図である。
【図１２】図１２は図１０のXII-XII線に沿って押付部材を切断した状態を示す断面図である。
【図１３】図１３は図１０のXII-XII線に沿って押付部材、円筒部材及びシールド編組を切断した状態を示す断面図である。
【図１４】図１４は図１３のＢ部の拡大図である。
【図１５】図１５は図９に示すコネクタの押付部材の斜視図である。
【図１６】図１６はこの発明の第３実施形態に係るコネクタの分解斜視図である。
【図１７】図１７は図１６に示すコネクタの組立後の状態を示す平面図である。
【図１８】図１８は図１７に示すコネクタの側面図である。
【図１９】図１９は図１７のXIX-XIX線に沿ってカバーを切断した状態を示す断面図である。
【図２０】図２０はコネクタからカバーを外した状態を示す斜視図である。
【図２１】図２１は図２０のXXI-XXI線に沿ってシールドシェル、シールド編組及び分離型円筒体を切断した状態を示す拡大断面図である。
【図２２】図２２はバレルにカバーを連結している途中の状態を示すコネクタの斜視図である。
【図２３】図２３は図２２のXXIII-XXIII線に沿ってシールドシェル、シールド編組、分離型円筒体及びカバーを切断した状態を示す拡大断面図である。
【図２４】図２４はバレルにカバーを連結した状態を示す斜視図である。
【図２５】図２５は図２４のXXV-XXV線に沿ってシールドシェル、シールド編組、分離型円筒体及びカバーを切断した状態を示す拡大断面図である。
【図２６】図２６はこの発明の第４実施形態に係るコネクタの分解斜視図である。
【図２７】図２７は図２６に示すコネクタのシールドシェル及び円筒部材の斜視図である。
【図２８】図２８は図２６に示すコネクタの組立後の状態を示す平面図である。
【図２９】図２９は図２８に示すコネクタの側面図である。
【図３０】図３０は図２８のXXX-XXX線に沿ってカバーを切断した状態を示す断面図である。
【図３１】図３１はコネクタからカバーを外し、円筒部材から分離型円筒体を離した状態を示す斜視図である。
【図３２】図３２は図３１のXXXII-XXXII線に沿ってシールドシェル、円筒部材、シールド編組及び分離型円筒体を切断した状態を示す拡大断面図である。
【図３３】図３３はコネクタからカバーを外し、円筒部材に分離型円筒体を装着した状態を示す斜視図である。
【図３４】図３４は図３３のXXXIV-XXXIV線に沿ってシールドシェル、円筒部材、シールド編組及び分離型円筒体を切断した状態を示す拡大断面図である。
【図３５】図３５はバレルにカバーを連結している途中の状態を示すコネクタの斜視図である。
【図３６】図３６は図３５のXXXVI-XXXVI線に沿ってシールドシェル、円筒部材、シールド編組、分離型円筒体及びカバーを切断した状態を示す拡大断面図である。
【図３７】図３７はバレルにカバーを連結し終った状態を示すコネクタの斜視図である。
【図３８】図３８は図３７のXXXVIII-XXXVIII線に沿ってシールドシェル、円筒部材、シールド編組、分離型円筒体及びカバーを切断した状態を示す拡大断面図である。
【図３９】図３９は第４実施形態に係るコネクタの変形例の部分拡大断面図である。
【図４０】図４０はこの発明の第５実施形態に係るコネクタのカバーをバレルに連結する前の状態を示す斜視図である。
【図４１】図４１は図４０に示すコネクタを斜め下方から見た斜視図である。
【図４２】図４２は図４０に示すコネクタの側面図である。
【図４３】図４３は図４０のXXXXIII-XXXXIII線に沿ってカバーを切断した状態を示す断面図である。
【図４４】図４４は図４０に示すコネクタのシールドシェル、円筒部材及びカバーの斜視図である。
【図４５】図４５は図４０に示すコネクタのシールドシェル及び円筒部材の側面図である。
【図４６】図４６は従来のシールドコネクタの分解斜視図である。
【図４７Ａ】図４７Ａは図４６のシールドコネクタの一部品であるリング組立体の分解斜視図である。
【図４７Ｂ】図４７Ｂは図４６のシールドコネクタの一部品であるリング組立体の斜視図である。
【図４７Ｃ】図４７Ｃは図４７Ｂのリング組立体の部分断面図である。
【図４８】図４８は図４６のシールドコネクタの一部品であるカバーの斜視図である。
【図４９Ａ】図４９Ａは図４８のカバーをシールドシェルに組み付ける前の状態を示す斜視図である。
【図４９Ｂ】図４９Ｂは図４８のカバーをシールドシェルに組み付ける途中の状態を示す斜視図である。
【図４９Ｃ】図４９Ｃは図４８のカバーをシールドシェルに組み付けた後の状態を示す斜視図である。
【発明を実施するための形態】
【００２７】
以下、この発明の実施の形態を図面に基づいて説明する。
【００２８】
まず、この発明の第１実施形態のコネクタを図１〜図８に基づいて説明する。
【００２９】
図１〜図４に示すように、コネクタ１０はハウジング１１とシールドシェル１３と押付部材１５とを備えている。図３、図４においてコネクタ１０の左が前、右が後である。
【００３０】
ハウジング１１は保持部１１ａと通し部（図示せず）とを有する。ハウジング１１は絶縁性材料で形成されている。保持部１１ａは複数のコンタクト１２を保持している。複数のコンタクト１２はそれぞれケーブル３１の複数の電線（図示せず）の一端部に接続されている。ケーブル３１は、複数の電線の束３１ｃと、この複数の電線の束３１ｃを覆うシールド編組３１ａと、シールド編組３１ａを被覆する外被３１ｂとで構成されている。ケーブル３１の一端部の外被３１ｂは除去され、シールド編組３１ａが露出している。ハウジング１１の通し部は保持部１１ａの後端に連なる。通し部にはケーブル３１の複数の電線の束３１ｃが通される。
【００３１】
ハウジング１１の外周面はバレル２３に覆われている。バレル２３にはカップリングナット２５が回転可能に取り付けられている。
【００３２】
図６に示すように、シールドシェル１３は環状部１３ａと１対のばね片（突出片）１３ｂとを有する。環状部１３ａと１対のばね片１３ｂとは導電性材料で一体に形成されている。環状部１３ａの外周面にはキー１３ｃが形成されている。環状部１３ａはバレル２３の後部に挿入される。このときキー１３ｃはバレル２３のキー溝（図示せず）に挿入される。１対のばね片１３ｂはそれぞれ環状部１３ａの後端に連なり、環状部１３ａの後方（ハウジング１１から離れる方向）へ延びている。１対のばね片１３ｂは環状部１３ａの径方向で対向する。ばね片１３ｂの断面形状（ばね片１３ｂを環状部１３ａの中心軸に対して直角に切断した形状）は円弧である。
【００３３】
押付部材１５はシールドシェル１３のばね片１３ｂの外周面にシールド編組３１ａを押し付けておく部品である。
【００３４】
この実施形態では、押付部材１５は円筒体１６と４つの連結部材１７とで構成されている。円筒体１６と４つの連結部材１７とは導電性材料で一体に形成されている。円筒体１６はシールドシェル１３のばね片１３ｂの先端部を包囲する。円筒体１６は円筒体側テーパ部１６ａと円環部１６ｂとを有する。円筒体側テーパ部１６ａの内径は前方（図５において円筒体側テーパ部１６ａの左）から後方（図５において円筒体側テーパ部１６ａの右）へ減少する。円環部１６ｂは円筒体側テーパ部１６ａの前端に連なる。
【００３５】
４つの連結部材１７は円環部１６ｂに連なり、前方へ延びる。４つの連結部材１７は円環部１６ｂの周方向へ等間隔に配置されている。連結部材１７の断面形状（連結部材１７を円環部１６ｂの中心軸に対して直角に切断した形状）は円弧である。連結部材１７の先端には引掛け部１７ａが形成されている。引掛け部１７ａはバレル２３の外周面に形成された環状溝２３ａ（図４参照）に引っ掛けられる。
【００３６】
コネクタ１０を組み立てるには、予め、ケーブル３１の一端部の外被３１ｂを除去してシールド編組３１ａを露出させて折り返し、このケーブル３１をシールドシェル１３及び押付部材１５に通し、ケーブル３１の複数の電線に接続されたコンタクト１２をハウジング１１の孔に挿入しておく。
【００３７】
まず、シールドシェル１３の環状部１３ａをバレル２３の後部に挿入する。その結果、環状部１３ａはケーブル３１の一端部を包囲する。シールドシェル１３の環状部１３ａをバレル２３の後部に挿入するとき、シールドシェル１３のキー１３ｃをバレル２３のキー溝（図示せず）に挿入する。これにより、シールドシェル１３の周方向の位置決めが行われるとともに、シールドシェル１３の回転が防止される。
【００３８】
次に、折り返したシールド編組３１ａを元の状態に戻してシールド編組３１ａをばね片１３ｂの先端部の外周面に被せる。
【００３９】
その後、押付部材１５をハウジング１１の方へ移動させ、連結部材１７の引掛け部１７ａをバレル２３の環状溝２３ａに引っ掛ける。その結果、円筒体１６がバレル２３を介してハウジング１１に連結され、図５に示すように、円筒体１６がシールド編組３１ａをシールドシェル１３のばね片１３ｂの外周面に押し付ける。このとき、ばね片１３ｂの先端部が円筒体１６の円筒体側テーパ部１６ａに押されてばね片１３ｂが環状部１３ａの径方向内側へ弾性変形し、そのばね片１３ｂの復帰力によってシールドシェル１３とシールド編組３１ａとが接触する。
【００４０】
この実施形態によれば、ばね片１３ｂを環状部１３ａの径方向内側へ弾性変形可能にして、ばね片１３ｂの大きな変形量による大きな復帰力を確保することができるので、シールドシェル１３や押付部材１５等の部品公差、組立公差の累積により、シールドシェル１３とシールド編組３１ａとの接続が不安定にならず、高いシールド性を確保することができる。
【００４１】
次に、この発明の第２実施形態を図９〜図１５に基づいて説明する。
【００４２】
上述の第１実施形態と共通する部分については同一符号を付してその説明を省略する。
以下、上述の第１実施形態との主な相違部分についてだけ説明する。
【００４３】
図９〜図１５に示すように、コネクタ２１０はハウジング１１とシールドシェル２１３
と押付部材２１５と円筒部材２１９とを備えている。
【００４４】
図１２〜図１４に示すように、円筒部材２１９は、シールドシェル２１３の一対のばね片（突出片）１３ｂの先端部に、その先端部を包囲するように装着される。円筒部材２１９は導電性材料で形成されている。円筒部材２１９は円筒部材側テーパ部２１９ａと円筒部材側引掛け部２１９ｂとを有する。円筒部材側テーパ部２１９ａの内径は前方から後方へ減少する。円筒部材側引掛け部２１９ｂは円筒部材側テーパ部２１９ａの前端部の内周面に形成されている。円筒部材側引掛け部２１９ｂは半径方向内側へ突出する突出部である。
【００４５】
シールドシェル２１３の一対のばね片１３ｂの先端部にはそれぞれ、円筒部材側引掛け部２１９ｂに引っ掛けるばね片側引掛け部２１３ｄが形成されている。ばね片側引掛け部２１３ｄは径方向外側へ突出する突出部である。
【００４６】
図９〜図１１、図１５に示すように、押付部材２１５は円筒体２１６と４つの連結部材２１７とで構成されている。円筒体２１６と４つの連結部材２１７とは導電性材料で一体に形成されている。円筒体２１６は円筒部材２１９を包囲する。円筒体２１６は円筒体側テーパ部２１６ａと円環部２１６ｂとを有する。円筒体側テーパ部２１６ａの内径は前方から後方へ減少する。円筒体側テーパ部２１６ａの傾斜角度は円筒部材２１９の円筒部材側テーパ部２１９ａの傾斜角度よりも大きい。円環部２１６ｂは円筒体側テーパ部２１６ａの前端に連なる。
【００４７】
４つの連結部材２１７は円環部２１６ｂに連なり、前方へ延びている。４つの連結部材２１７は円環部２１６ｂの周方向へ等間隔に配置されている。連結部材１７の先端には引掛け部１７ａが形成されている。引掛け部１７ａはバレル２３の環状溝２３ａ（図１３参照）に引っ掛けられる。
【００４８】
連結部材２１７の引掛け部１７ａをバレル２３の環状溝２３ａに引っ掛けると、円筒体２１６がバレル２３を介してハウジング１１に連結され、円筒体２１６がシールド編組３１ａを円筒部材２１９を介してシールドシェル２１３のばね片１３ｂの外周面に押し付ける状態が維持される。このときばね片１３ｂは半径方向内側へ弾性変形し、ケーブル３１のシールド編組３１ａが、円筒部材２１９と円筒体側テーパ部２１６ａとに挟み付けられる。円筒部材２１９は円筒部材側テーパ部２１９ａを有するので、シールド編組３１ａを簡単に均等に広げることができる。
【００４９】
第２実施形態によれば、第１実施形態と同様の効果を奏する。
【００５０】
また、ばね片側引掛け部２１３ｄに円筒部材側引掛け部２１９ｂが引っ掛かり、円筒部材２１９がシールドシェル２１３から外れにくいので、ハウジング１１に押付部材２１５を取り付け易い。
【００５１】
次に、この発明の第３実施形態のコネクタを図１６〜図２５に基づいて説明する。
【００５２】
図１６〜図１８に示すように、コネクタ３１０はハウジング３１１とシールドシェル３１３と押付部材３１５とを備えている。
【００５３】
ハウジング３１１は保持部３１１ａと通し部３１１ｂとを有する。保持部３１１ａは複数のコンタクト１２を保持している。複数のコンタクト１２はそれぞれケーブル３１の複数の電線の一端部に接続されている。通し部３１１ｂは保持部３１１ａの後端に連なる。
通し部３１１ｂにはケーブル３１の複数の電線の束（図示せず）が通される。
【００５４】
ハウジング３１１の保持部３１１ａはバレル２３に覆われ、バレル２３の後部の外周面には雄ねじ（図示せず）が形成されている。また、バレル２３の後部の内周面にはキー溝（図示せず）が形成されている。バレル２３の外周面にはカップリングナット２５が回転可能に取り付けられている。
【００５５】
シールドシェル３１３は環状部１３ａと１対のばね片１３ｂとを有する。
【００５６】
押付部材３１５は分離型円筒体３１６とカバー３１８とで構成されている。分離型円筒体３１６とカバー３１８とはそれぞれ導電性材料で形成されている。分離型円筒体３１６は、シールドシェル３１３のばね片１３ｂの先端部に、その先端部を包囲するように装着される。分離型円筒体３１６は分離型円筒体側テーパ部３１６ａと大円環部３１６ｂと小円環部３１６ｃとを有する。分離型円筒体側テーパ部３１６ａの内径は前方から後方へ減少する。大円環部３１６ｂは分離型円筒体側テーパ部３１６ａの前端に連なる。小円環部３１６ｃは分離型円筒体側テーパ部３１６ａの後端に連なる。
【００５７】
カバー３１８はほぼ円筒状である。図１９、図２５に示すように、カバー３１８の後端部の内周面にはテーパ面３１８ａが形成されている。テーパ面３１８ａの傾斜角度は分離型円筒体側テーパ部３１６ａの傾斜角度よりも大きい。カバー３１８の前端部の内周面には周方向へ沿って溝３１８ｂが形成されている。溝３１８ｂにはシール部材２７が収容されている。また、カバー３１８の前端部の内周面には雌ねじ（図示せず）が形成されている。この雌ねじには、バレル２３の雄ねじがねじ込まれる。
【００５８】
コネクタ３１０を組み立てるには、予め、ケーブル３１の一端部の外被３１ｂを除去してシールド編組３１ａを露出させて折り返し、このケーブル３１をシールドシェル３１３、分離型円筒体３１６及びカバー３１８に通し、ケーブル３１の複数の電線に接続されたコンタクト１２をハウジング１１の孔に挿入しておく。
【００５９】
まず、シールドシェル３１３の環状部１３ａをバレル２３の後部に挿入する。その結果、環状部１３ａはケーブル３１の一端部を包囲する。シールドシェル３１３の環状部１３ａをバレル２３の後部に挿入するとき、シールドシェル３１３のキー１３ｃをバレル２３のキー溝に挿入する。これにより、シールドシェル３１３の周方向の位置決めが行われるとともに、シールドシェル３１３の回転が防止される。
【００６０】
次に、折り返したシールド編組３１ａを元の状態に戻してシールド編組３１ａをばね片１３ｂの先端部の外周面に被せる。
【００６１】
その後、図２０、図２１に示すように、分離型円筒体３１６をハウジング３１１の方へ移動させ、分離型円筒体３１６でシールド編組３１ａを包囲する。
【００６２】
次に、図２２、図２３に示すように、カバー３１８をハウジング３１１の方へ移動させる。
【００６３】
最後に、図２４、図２５に示すように、カバー３１８の雌ねじをバレル２３の雄ねじにねじ込む。このとき、カバー３１８のテーパ面３１８ａの傾斜角度は分離型円筒体３１６の分離型円筒体側テーパ部３１６ａの傾斜角度よりも大きく、テーパ面３１８ａは分離型円筒体側テーパ部３１６ａと線接触し、接触面積が小さいので、わずかな力でカバー３１８を回すことができるとともに、分離型円筒体３１６がカバー３１８といっしょに回らない。
【００６４】
第３実施形態によれば、第１実施形態と同様の効果を奏する。
【００６５】
また、シールドシェル３１３が導電性材料で形成されたカバー３１８によって覆われているので、シールド性がより向上する。
【００６６】
更に、カバー３１８の雌ねじをバレル２３の雄ねじに小さな力でねじ込むことができるとともに、分離型円筒体３１６がカバー３１８といっしょに回転することを防止できるので、シールド編組３１ａがねじられるのを抑制できる。
【００６７】
次に、この発明の第４実施形態を図２６〜図３９に基づいて説明する。
【００６８】
上述の第３実施形態と共通する部分については同一符号を付してその説明を省略する。以下、上述の第３実施形態との主な相違部分についてだけ説明する。
【００６９】
図２６〜図３９に示すように、コネクタ４１０はハウジング３１１とシールドシェル４１３と円筒部材４１９と押付部材４１５とを備えている。
【００７０】
図２６〜図２９に示すように、円筒部材４１９は円筒部材側テーパ部４１９ａと円筒部材側引掛け部４１９ｂとを有する。円筒部材側テーパ部４１９ａの内径は前方から後方へ減少する。円筒部材側引掛け部４１９ｂは円筒部材側テーパ部４１９ａの前端部の内周面に形成されている。
【００７１】
円筒部材４１９はばね片１３ｂの先端部にその先端部を包囲するように装着される。円筒部材４１９はばね片１３ｂの先端部に対して回転可能である。円筒部材４１９は導電性材料で形成されている。シールドシェル４１３の一対のばね片１３ｂの先端部にはそれぞれ、円筒部材４１９の円筒部材側引掛け部４１９ｂに引っ掛けかけるばね片側引掛け部４１３ｄが形成されている。これにより、ばね片１３ｂの先端部に装着された円筒部材４１９はばね片１３ｂから外れにくい。
【００７２】
押付部材４１５は分離型円筒体４１６とカバー４１８とで構成されている。分離型円筒体４１６とカバー４１８とはそれぞれ導電性材料で形成されている。分離型円筒体４１６は円筒部材４１９の後端部を包囲する。分離型円筒体４１６は分離型円筒体側テーパ部４１６ａと大円環部４１６ｂと小円環部４１６ｃとを有する。分離型円筒体側テーパ部４１６ａの内径は前方から後方へ減少する。大円環部４１６ｂは分離型円筒体側テーパ部４１６ａの前端に連なる。小円環部４１６ｃは分離型円筒体側テーパ部４１６ａの後端に連なる。
【００７３】
カバー４１８はほぼ円筒状である。図３０、図３６に示すように、カバー４１８の後端部の内周面にはテーパ面４１８ａが形成されている。テーパ面４１８ａの傾斜角度は分離型円筒体側テーパ部４１６ａの傾斜角度よりも大きい。カバー４１８の前端部の内周面には周方向へ延びる溝４１８ｂが形成されている。溝４１８ｂにはシール部材２７が収容されている。また、カバー４１８の前端部の内周面には雌ねじ（図示せず）が形成されている。この雌ねじには、バレル２３の雄ねじがねじ込まれる。
【００７４】
コネクタ４１０を組み立てるには、予め、ケーブル３１の一端部の外被３１ｂを除去してシールド編組３１ａを露出させて折り返し、このケーブル３１をシールドシェル４１３、円筒部材４１９、分離型円筒体４１６及びカバー４１８に通し、ケーブル３１の複数の電線に接続されたコンタクト１２をハウジング１１の孔に挿入しておく。
【００７５】
まず、シールドシェル４１３の環状部１３ａをバレル２３の後部に挿入する。このとき、シールドシェル４１３のキー１３ｃをバレル２３のキー溝に挿入する。その結果、シールドシェル４１３の周方向の位置決めが行われるとともに、シールドシェル４１３の回転が防止される。
【００７６】
次に、シールドシェル４１３のばね片１３ｂの先端部に円筒部材４１９を装着する。
【００７７】
その後、折り返したシールド編組３１ａを元の状態に戻して、図３１、図３２に示すように、シールド編組３１ａをばね片１３ｂの先端部の外周面に被せる。このとき、シールド編組３１ａは円筒部材４１９によって押し広げられ、円筒部材４１９上にシールド編組３１ａが均等に配置される。
【００７８】
その後、図３３、図３４に示すように、分離型円筒体４１６をハウジング３１１の方へ移動させ、分離型円筒体４１６でシールド編組３１ａを包囲する。その結果、シールド編組３１ａは円筒部材４１９と分離型円筒体４１６とで挟まれて仮止めされる。また、分離型円筒体４１６によってシールド編組３１ａの散乱も抑制される。
【００７９】
次に、図３５、図３６に示すように、カバー４１８をハウジング３１１の方へ移動させる。
【００８０】
最後に、図３７、図３８に示すように、カバー４１８の雌ねじをバレル２３の雄ねじにねじ込む。このとき、カバー４１８のテーパ面４１８ａの傾斜角度は分離型円筒体４１６の分離型円筒体側テーパ部４１６ａの傾斜角度よりも大きく、テーパ面４１８ａは分離型円筒体側テーパ部４１６ａと線接触し、接触面積が小さいので、わずかな力でカバー４１８を回すことができるとともに、分離型円筒体４１６がカバー４１８といっしょに回らない。また、カバー４１８の雌ねじがバレル２３の雄ねじにねじ込まれたとき、分離型円筒体４１６がシールド編組３１ａを円筒部材４１９を介して複数のばね片１３ｂの外周面に押し、ばね片１３ｂが環状部１３ａの径方向内側へ弾性変形する。
【００８１】
第４実施形態によれば、第３実施形態と同様の効果を奏するとともに、円筒部材４１９と分離型円筒体４１６とでシールド編組３１ａを仮止めできるので、カバー４１８をバレル２３に連結する作業が簡単になる。
【００８２】
次に、この発明の第４実施形態の変形例を図３９に基づいて説明する。
【００８３】
上述の第４実施形態と共通する部分については同一符号を付してその説明を省略する。以下、上述の第４実施形態との主な相違部分についてだけ説明する。
【００８４】
第４実施形態では、シールドシェル４１３のばね片１３ｂにばね片側引掛け部４１３ｄが形成され、円筒部材４１９に円筒部材側引掛け部４１９ｂが形成されているが、この変形例のコネクタ４１０´では、シールドシェル１４１３のばね片１３ｂの先端部に引掛け部が形成されておらず、円筒部材１４１９の円筒部材側テーパ部１４１９ａに引掛け部が形成されていない。
【００８５】
この変形例によれば、第１実施形態と同様の効果を奏する。
【００８６】
次に、この発明の第５実施形態を図４０〜図４５に基づいて説明する。
【００８７】
上述の第４実施形態と共通する部分については同一符号を付してその説明を省略する。以下、上述の第４実施形態との主な相違部分についてだけ説明する。
【００８８】
図４０〜図４５に示すように、コネクタ５１０はハウジング３１１とシールドシェル５１３と円筒部材５１９と押付部材４１５とを備えている。
【００８９】
図４０〜図４５に示すように、コネクタ５１０のシールドシェル５１３は、環状部１３ａと１つのばね片（突出片）５１３ｂとガイド片（突出片）５１３ｅとを有する。ばね片５１３ｂとガイド片５１３ｅとは環状部１３ａの後端に連なる。ばね片５１３ｂとガイド片５１３ｅとは環状部１３ａの径方向で対向する。ガイド片５１３ｅの外周面にはキー５１３ｆが形成されている。キー５１３ｆはシールドシェル５１３の中心軸方向に沿って延びている。ばね片５１３ｂ、ガイド片５１３ｅの断面形状（ばね片５１３ｂを環状部１３ａの中心軸に対して直角に切断した形状）はいずれも円弧である。しかし、ばね片５１３ｂが第１実施形態のばね片１３ｂと同様にテーパ状であるのに対し、ガイド片５１３ｅは径が一定の半円筒状である。ばね片５１３ｂの先端部にはばね片側引掛け部５１３ｄが形成されている。
【００９０】
円筒部材５１９の円筒部材側テーパ部５１９ａの内周面にはキー溝５１９ｃと円筒部材側引掛け部５１９ｂとが形成されている。キー溝５１９ｃは円筒部材５１９の中心軸方向に沿って延びている。キー溝５１９ｃにはキー５１３ｆが挿入される。円筒部材側引掛け部５１９ｂは周方向へ延びている。円筒部材側引掛け部５１９ｂはばね片側引掛け部５１３ｄに引っ掛かる。円筒部材５１９は導電性材料で形成されている。
【００９１】
第５実施形態によれば、第４実施形態と同様の効果を奏する。
【００９２】
また、ガイド部５１３ｅによって円筒部材５１９を円滑にシールドシェル５１３の中心軸方向へガイドすることができる。
【００９３】
なお、上述の第１〜第５実施形態では、押付部材１５，２１５，３１５，４１５の材料として導電性材料を採用したが、押付部材の材料として例えば合成樹脂等の絶縁材料を採用してもよい。
【００９４】
また、上述の各実施形態では、押付部材１５，２１５，３１５，４１５をハウジング１１，３１１にバレル２３を介して連結したが、押付部材をハウジングに直接連結してもよい。
【符号の説明】
【００９５】
１０，２１０，３１０，４１０，５１０：コネクタ
１１，３１１：ハウジング
１１ａ，３１１ａ：保持部
３１１ｂ：通し部
１２：コンタクト
１３，２１３，３１３，４１３，１４１３，５１３：シールドシェル
１３ａ：環状部
１３ｂ，５１３ｂ：ばね片（突出片）
１３ｃ：キー
２１３ｄ，４１３ｄ，５１３ｄ：ばね片側引掛け部
５１３ｅ：ガイド片（突出片）
５１３ｆ：キー
１５，２１５，３１５，４１５：押付部材
１６，２１６：円筒体、
１６ａ，２１６ａ：円筒体側テーパ部
１６ｂ：円環部
２１６ｂ：大円環部
３１６，４１６：分離型円筒体
３１６ａ，４１６ａ：分離型円筒体側テーパ部
３１６ｂ，４１６ｂ：大円環部
３１６ｃ，４１６ｃ：小円環部
１７，２１７：連結部材
１７ａ：引掛け部
２１７ａ：ばね片側引掛け部
２１９：円筒部材
２１９ａ：円筒部材側テーパ部
２１９ｂ：円筒部材側引掛け部
３１８，４１８：カバー
３１８ａ，４１８ａ：テーパ面
３１８ｂ，４１８ｂ：溝
４１９，１４１９，５１９：円筒部材
４１９ａ，１４１９ａ，５１９ａ：円筒部材側テーパ部
４１９ｂ，５１９ｂ：円筒部材側引掛け部
５１９ｃ：キー溝
２３：バレル
２３ａ：環状溝
２５：カップリングナット
２７：シール部材
３１：ケーブル
３１ａ：シールド編組
３１ｂ：外被
３１ｃ：電線の束
【図１】
0005517270.tif 000002
【図２】
0005517270.tif 000003
【図３】
0005517270.tif 000004
【図４】
0005517270.tif 000005
【図５】
0005517270.tif 000006
【図６】
0005517270.tif 000007
【図７】
0005517270.tif 000008
【図８】
0005517270.tif 000009
【図９】
0005517270.tif 000010
【図１０】
0005517270.tif 000011
【図１１】
0005517270.tif 000012
【図１２】
0005517270.tif 000013
【図１３】
0005517270.tif 000014
【図１４】
0005517270.tif 000015
【図１５】
0005517270.tif 000016
【図１６】
0005517270.tif 000017
【図１７】
0005517270.tif 000018
【図１８】
0005517270.tif 000019
【図１９】
0005517270.tif 000020
【図２０】
0005517270.tif 000021
【図２１】
0005517270.tif 000022
【図２２】
0005517270.tif 000023
【図２３】
0005517270.tif 000024
【図２４】
0005517270.tif 000025
【図２５】
0005517270.tif 000026
【図２６】
0005517270.tif 000027
【図２７】
0005517270.tif 000028
【図２８】
0005517270.tif 000029
【図２９】
0005517270.tif 000030
【図３０】
0005517270.tif 000031
【図３１】
0005517270.tif 000032
【図３２】
0005517270.tif 000033
【図３３】
0005517270.tif 000034
【図３４】
0005517270.tif 000035
【図３５】
0005517270.tif 000036
【図３６】
0005517270.tif 000037
【図３７】
0005517270.tif 000038
【図３８】
0005517270.tif 000039
【図３９】
0005517270.tif 000040
【図４０】
0005517270.tif 000041
【図４１】
0005517270.tif 000042
【図４２】
0005517270.tif 000043
【図４３】
0005517270.tif 000044
【図４４】
0005517270.tif 000045
【図４５】
0005517270.tif 000046
【図４６】
0005517270.tif 000047
【図４７Ａ】
0005517270.tif 000048
【図４７Ｂ】
0005517270.tif 000049
【図４７Ｃ】
0005517270.tif 000050
【図４８】
0005517270.tif 000051
【図４９Ａ】
0005517270.tif 000052
【図４９Ｂ】
0005517270.tif 000053
【図４９Ｃ】
0005517270.tif 000054